(57)【要約】【課題】様々な情報を表示する画面の実状に適応させ、画面の省電力化とユーザの使いやすさとの両立を図る表示制御装置を提供する。【解決手段】所定の表示切替時間が経過した場合、画面の明るさを通常モードから省電力モードに切り替え可能な表示制御装置３であって、前記画面に表示される画面情報の文字数を検出する情報量検出部２２と、該情報量検出部で検出した前記画面情報の文字数の増加に伴って、前記表示切替時間を長く設定する時間設定部２５とを具備する。【選択図】図１
2013125111.tif 000002
【特許請求の範囲】
【請求項１】
所定の表示切替時間が経過した場合、画面の明るさを通常モードから省電力モードに切り替え可能な表示制御装置であって、
前記画面に表示される画面情報の文字数を検出する情報量検出部と、
該情報量検出部で検出した前記画面情報の文字数の増加に伴って、前記表示切替時間を長く設定する時間設定部と
を具備することを特徴とする表示制御装置。
【請求項２】
請求項１に記載の表示制御装置であって、
前記画面情報内の入力欄の有無を監視する入力監視部をさらに具備し、前記時間設定部は、前記入力監視部で前記画面情報内に入力欄を検出した場合、前記表示切替時間を延長することを特徴とする表示制御装置。
【請求項３】
請求項１又は２に記載の表示制御装置であって、
前記表示情報内の動画を検出する動画表示検出部をさらに具備し、前記時間設定部は、前記動画表示検出部で前記画面情報内に動画を検出した場合、前記表示切替時間を延長することを特徴とする表示制御装置。
【請求項４】
請求項１〜３のいずれか１項に記載の表示制御装置であって、
前記画面への操作によって前記画面情報が変更された場合、前記情報量検出部は、前記操作前の画面情報に対して新たに示された文字数を検出し、前記時間設定部は、該文字数に応じて前記表示切替時間を延長することを特徴とする表示制御装置。
【請求項５】
請求項１に記載の表示制御装置であって、
前記画面情報内の入力欄の有無を監視する入力監視部をさらに具備し、前記時間設定部は、前記入力監視部で前記入力欄への入力確定を検出しない場合、前記表示切替時間を延長することを特徴とする表示制御装置。
【発明の詳細な説明】
【技術分野】
【０００１】
本発明は、表示制御装置に関し、詳細には、所定の表示切替時間が経過した場合、画面の明るさを通常モードから省電力モードに切り替え可能な表示制御装置に関する。
【背景技術】
【０００２】
電子機器に設置されたディスプレイは、文字や図形の他、動画なども表示でき、電子機器の操作方法などをユーザに分かりやすく提供することができる。
一方、あらゆる情報をディスプレイで長時間に亘って表示し続けると、電子機器の消費電力が増えることから、画面などの省電力化が求められている。
【０００３】
例えば、特許文献１には、画面に対する操作が一定時間無かった場合、画面の明るさを通常モードから省電力モードに切り替え、画面を暗くする技術が開示されている。また、この特許文献１では、画面に表示されるメニュー画面の内容についても考慮し、省電力モードへ表示切替時間を、例えば、第２階層以降のメニュー画面では第１階層のメニュー画面よりも長くする、或いは、第２階層以降のメニュー画面内に表示されている項目の数が増えるに連れて長くしている。
【先行技術文献】
【特許文献】
【０００４】
【特許文献１】特開２００９−２０４１６号公報
【発明の概要】
【発明が解決しようとする課題】
【０００５】
しかしながら、上記従来の技術のように、省電力モードへの遷移制御がメニュー画面の階層深さや１画面内に表示されている項目の数だけを考慮して実施されると、例えば、画面に表示される文字の数等には関係なく、上記の条件を満たしたときには省電力モードに切り替えられる。つまり、ユーザが画面の表示内容を読んでいる間に当該表示が見えなくなり、ユーザの使用性を大幅に損ねるという問題がある。
【０００６】
本発明は、上述の如き実情に鑑みてなされたもので、様々な情報を表示する画面の実状に適応させ、画面の省電力化とユーザの使いやすさとの両立を図る表示制御装置を提供することを目的とする。
【課題を解決するための手段】
【０００７】
上記課題を解決するために、本発明の第１の技術手段は、所定の表示切替時間が経過した場合、画面の明るさを通常モードから省電力モードに切り替え可能な表示制御装置であって、前記画面に表示される画面情報の文字数を検出する情報量検出部と、該情報量検出部で検出した前記画面情報の文字数の増加に伴って、前記表示切替時間を長く設定する時間設定部とを具備することを特徴とする。
【０００８】
第２の技術手段は、第１の技術手段において、前記画面情報内の入力欄の有無を監視する入力監視部をさらに具備し、前記時間設定部は、前記入力監視部で前記画面情報内に入力欄を検出した場合、前記表示切替時間を延長することを特徴とするものである。
【０００９】
第３の技術手段は、第１又は第２の技術手段において、前記表示情報内の動画を検出する動画表示検出部をさらに具備し、前記時間設定部は、前記動画表示検出部で前記画面情報内に動画を検出した場合、前記表示切替時間を延長することを特徴とするものである。
【００１０】
第４の技術手段は、第１〜第３のいずれか１の技術手段において、前記画面への操作によって前記画面情報が変更された場合、前記情報量検出部は、前記操作前の画面情報に対して新たに示された文字数を検出し、前記時間設定部は、該文字数に応じて前記表示切替時間を延長することを特徴とするものである。
【００１１】
第５の技術手段は、第１の技術手段において、前記画面情報内の入力欄の有無を監視する入力監視部をさらに具備し、前記時間設定部は、前記入力監視部で前記入力欄への入力確定を検出しない場合、前記表示切替時間を延長することを特徴とするものである。
【発明の効果】
【００１２】
本発明によれば、画面に表示される文字数の増加に伴って、省電力モードへの切り替えが遅くなるため、画面の省電力化を図りつつ、ユーザの使いやすさを確保することができる。
【図面の簡単な説明】
【００１３】
【図１】本発明の表示制御装置に適用可能な画像形成装置の構造説明図である。
【図２】本発明による省電力モードへの遷移制御を説明するフローチャートである。
【図３】本発明による省電力モードへの遷移制御を説明するフローチャートである。
【図４】本発明による画面の表示例を示す図である。
【図５】本発明による画面の表示例を示す図である。
【図６】本発明による画面の表示例を示す図である。
【図７】本発明による画面の表示例を示す図である。
【図８】本発明による画面の表示例を示す図である。
【発明を実施するための形態】
【００１４】
以下、図面を参照しながら本発明の表示制御装置について説明する。図１は、本発明の表示制御装置に適用可能な画像形成装置の構造説明図である。
画像形成装置１は、画像読み取り部２、システム制御部３、操作部４、及び印字部５を有する。このシステム制御部３が本発明の表示制御装置に相当する。
【００１５】
画像読み取り部２は所定位置にセットされた原稿を光学的に読み取り可能に構成されている。読み取られた原稿の画像は、システム制御部３を経由して印字部５に出力される。
このシステム制御部３は、画像形成装置１の中枢的な役割を担い、画像形成装置１を円滑に動作させるように、或いは、例えば、操作部４からのユーザの指示などに応じた画像データを生成できるように、画像読み取り部２、操作部４や印字部５と連携して動作する。なお、このシステム制御部３はネットワーク処理可能であってもよい。
【００１６】
システム制御部３は、画像処理部１０、制御部２０、記憶部３０から構成される。
画像処理部１０は、画像読み取り部２及び印字部５に接続され、画像読み取り部２で光学的に読み取られた原稿の画像を電気信号に変換して画像データを生成する。この生成された画像データが印字部５に出力される。印字部５は、給紙、画像形成、転写、定着、排紙等を行って印刷処理を実行する。
【００１７】
制御部２０は、画像処理部１０や記憶部３０に接続され、さらに、操作部４にも接続されている。この制御部２０の構造については後述する。
記憶部３０は、上述した光学的に読み取られた原稿の画像などを格納でき、また、表示フォーマット３１や表示情報３２も格納可能に構成されている。この表示フォーマット３１は、操作部４に情報を表示するためのひな型であり、例えば、操作方法や検索画面などのタイトルとともに、選択用や送信用のボタン、スクロールバー等が準備されている。また、表示情報３２は、この表示フォーマット３１を利用して表示させる内容であり、例えば、操作方法や検索画面などに関する具体的な説明文、ユーザに入力させる入力欄、さらに、操作方法等に関する静止画情報の他、動画情報３３などが準備されている。
【００１８】
操作部４は、例えば、液晶で構成され、その裏側にバックライトを配置したディスプレイ４０を有する。このディスプレイ４０が本発明の画面に相当する。
また、操作部４は、例えば、透明抵抗膜方式のタッチパネル４１や、接触接点を用いたハードキーからなる操作キー４２を有している。タッチパネル４１は、ディスプレイ４０に重ねて設けられており、画像形成装置１を操作するためのＧＵＩ（グラフィカルユーザインタフェース）をディスプレイ４０に表示させる。ユーザがタッチパネル４１や操作キー４２で指示すると、その指示信号は制御部２０に出力される。
【００１９】
ここで、制御部２０は、例えば、表示制御部２１、情報量検出部２２、入力監視部２３、動画表示検出部２４、時間設定部２５、時間計時部２６、及びバックライト制御部２７を備えている。
表示制御部２１は、表示フォーマット３１や表示情報３２を記憶部３０から読み出して画面情報を生成し、この画面情報をディスプレイ４０に表示させる。
【００２０】
また、表示制御部２１は、後述する所定の表示切替時間が経過した場合、ディスプレイ４０の明るさを通常モードからこの通常モードの明るさよりも暗い省電力モードに切り替えることができる。
情報量検出部２２は、ディスプレイ４０に現在表示される画面情報の文字数を検出しており、その計数結果は時間設定部２５に出力される。
【００２１】
なお、ディスプレイ４０に表示する表示情報３２の量が、ディスプレイ４０の表示領域より大きく、例えば、ユーザによるスクロール操作や、次画面用のボタンの選択によって初めてディスプレイ４０に表示できる程度に大きい場合には、情報量検出部２２は、操作後の画面情報に示されている文字数、例えば、操作前の画面情報に対して新たに示される文字数を検出する。この検出結果も時間設定部２５に出力される。
【００２２】
一方、入力監視部２３は、例えば、入力欄のように、ユーザによる入力を求める表示情報が存在した場合には、その入力欄がディスプレイ４０に表示されているか否か、或いは当該入力欄への入力が確定したか否かを監視する。その監視結果は時間設定部２５に出力される。さらに、入力監視部２３は、例えば、ユーザがディスプレイ４０や操作キー４２に触れ、省電力モードから通常モードへの復帰要因が発生したときなど、省電力モードの中断理由も検知可能である。なお、この復帰要因には、例えば検索結果の一覧表示など、入力の確定によってディスプレイ４０の内容が次の内容に更新された場合や、例えばＪａｖａｓｃｒｉｐｔ（登録商標）などを用いてディスプレイ４０の内容を一定時間毎に更新可能な例えば背景画像のコンテンツのような、ディスプレイ４０の更新タイミングになった場合も該当する。
【００２３】
また、動画表示検出部２４は、動画情報３３が存在した場合には、この動画情報３３を検出し、その検出結果も時間設定部２５に出力されている。なお、上述の情報量検出部２２が動画情報３３の再生中であるか否かを検出してもよい。
時間設定部２５は、情報量検出部２２、入力監視部２３や動画表示検出部２４の指示に基づいて、通常モードから省電力モードに切り替わるまでの表示切替時間を設定する。この表示切替時間は、基本時間を１０秒程度として付加時間が加算されたものである。例えば、文字数が多い場合など、省電力モードへの単純な移行が好ましくない場合には、基本時間よりも長い時間が設定される。
【００２４】
時間計時部２６は、時間設定部２５で設定された表示切替時間を受け取り、表示切替時間を計測する。その後、この表示切替時間が経過したときには、表示制御部２１はバックライト制御部２７に対し、ディスプレイ４０の上記バックライトを１００％から例えば、５０％程度の大きさで点灯させる信号を出力する。これにより、ディスプレイ４０は省電力モードに移行する。
【００２５】
図２及び図３は、本発明による省電力モードへの遷移制御を説明するフローチャートである。
ディスプレイ４０に情報を表示してユーザに知らせる場合には、表示制御部２１が、表示フォーマット３１を記憶部３０から読み出し（ステップＳ１０１）、この表示フォーマット３１を利用する表示情報３２を記憶部３０から読み出し（ステップＳ１０２）、現時点のディスプレイ４０に表示される画面情報を生成する。
【００２６】
次に、情報量検出部２２が、ディスプレイ４０に現在表示される画面情報の文字数を抽出して計数し（ステップＳ１０３）、時間設定部２５は、この計数した文字数に基づいて表示切替時間を設定する（ステップＳ１０４）。この時間設定部２５では、例えば、所定の基本時間に１文字当たり０．１秒を加算した付加時間を設定する。
ここで、入力監視部２３が現時点のディスプレイ４０に表示される画面情報内に入力欄を見つけず（ステップＳ１０５のＮＯ）、さらに、動画表示検出部２４が現時点のディスプレイ４０に表示される画面情報内に動画を見つけなかった場合（ステップＳ１０７のＮＯ）には、図３のステップＳ１１１に進む。
【００２７】
これに対し、入力監視部２３がディスプレイ４０に現在表示される画面情報内に入力欄を見つけた場合（ステップＳ１０５のＹＥＳ）には、時間設定部２５は設定した表示切替時間を延長し（ステップＳ１０６）、ユーザが入力内容を考えるための時間を提供する。この延長時間は、省電力モードへの速やかな移行を実現するために、入力欄の数とは無関係に設定され、例えば、約１０秒間が付与される。
【００２８】
また、動画表示検出部２４がディスプレイ４０に現在表示される画面情報内に動画を見つけた場合（ステップＳ１０７のＹＥＳ）には、この動画の再生時間を取得する（ステップＳ１０８）。
次いで、時間設定部２５は、この取得した動画の再生時間と現時点までに設定されている表示切替時間とを比較し、当該取得した動画の再生時間が設定されている表示切替時間よりも長いと判定した場合（ステップＳ１０９のＹＥＳ）には、この取得した動画の再生時間を新たな表示切替時間として設定する（ステップＳ１１０）。そして、図３のステップＳ１１１に進む。なお、この取得した動画の再生時間を現時点までに設定されている表示切替時間に加算してもよい。
【００２９】
図３のステップＳ１１１では、表示制御部２１が上記画面情報をディスプレイ４０に表示する。続いて、バックライト制御部２７がディスプレイ４０の上記バックライトを１００％で点灯させる（ステップＳ１１２）。
そして、時間計時部２６が、時間設定部２５で設定された表示切替時間の計測を開始する（ステップＳ１１３）。
【００３０】
ここで、入力監視部２３がディスプレイ４０への操作、例えば、現在表示中のスクロールバーへの操作や、次画面用のボタンの選択を検出せず（ステップＳ１１４のＮＯ）、時間計時部２６が表示切替時間の経過を判定した場合（ステップＳ１１５のＹＥＳ）には、表示制御部２１はディスプレイ４０を省電力モードに移行させ、バックライト制御部２７はディスプレイ４０の上記バックライトを例えば、５０％で点灯させる（ステップＳ１１６）。
【００３１】
その後、入力監視部２３が通常モードへの復帰要因の発生を検知するまで、ディスプレイ４０の省電力モードが継続され、この復帰要因が発生した場合（ステップＳ１２２のＹＥＳ）には、図２のステップＳ１０１に戻る。なお、入力監視部２３がディスプレイ４０への操作を検出した場合（ステップＳ１１４のＹＥＳ）にも同様に、図２のステップＳ１０１に戻る。
【００３２】
なお、時間計時部２６が表示切替時間を計測している間（ステップＳ１１５のＮＯ）に、入力監視部２３が上記入力欄等への入力操作を検出しない場合（ステップＳ１１７のＮＯ）にはステップＳ１１４に戻る。
一方、時間計時部２６が表示切替時間を計測している間（ステップＳ１１５のＮＯ）に、入力監視部２３が上記入力欄等への入力操作を検出した場合（ステップＳ１１７のＹＥＳ）には、この入力内容が確定したか否かを判別する。
【００３３】
そして、入力監視部２３が上記入力欄等への入力操作があって、かつ、例えば、送信用のボタンが選択される、或いは、検索したい内容を確定できる文字列であったなど、入力の確定を検出した場合（ステップＳ１１８のＹＥＳ）には、この時点では、ユーザはディスプレイ４０に現在表示される画面情報を理解できた上で入力を確定したと考えられる。したがって、時間設定部２５は上述した表示切替時間を、加算の無い基本時間のみによる残り１０秒間に設定し（ステップＳ１１９）、次いで、ステップＳ１１３に戻り、時間計時部２６が表示切替時間の計測を開始する。そして、検索結果の一覧表示がなく（ステップＳ１１４のＮＯ）、表示切替時間が経過した場合（ステップＳ１１５のＹＥＳ）には、ディスプレイ４０は省電力モードに移行するが（ステップＳ１１６）、その後、検索結果の一覧表示があれば（ステップＳ１２２のＹＥＳ）、図２のステップＳ１０１に戻る。
【００３４】
これに対し、入力監視部２３が上記入力欄等への操作があるが、入力の確定を検出しない場合（ステップＳ１１８のＮＯ）であって、同じ入力欄に対する１回目の延長時間の設定であったとき（ステップＳ１２０のＹＥＳ）には、時間設定部２５は、例えば約１０秒間が付与して上述した表示切替時間を延長し（ステップＳ１２１）、省電力モードへの速やかな移行を実現させつつ、ユーザが入力を完了するための時間を提供する。その後、ステップＳ１１３に戻る。
【００３５】
図４〜図７は、本発明による画面の表示例を示す図である。
まず、図４のディスプレイ４０に現在表示される画面情報は操作方法に関するものであり、この「操作方法」の文字とは別に、計５３文字の文字表示６１が示され、この文字数が情報量検出部２２で検出されている。よって、時間設定部２５は、基本時間（１０秒間）に、文字数に関する付加時間（５．３秒間＝５３×０．１）を設け、上記ステップＳ１０４において、計１５．３秒間の表示切替時間を設定する。なお、本発明は、文字数を総て計時しなくてもよく、所定サイズ（例えば１０ｐｔ）の文字数が一定数、例えばディスプレイ４０全体に表示可能な文字数を超えていれば、その超過分の文字数に関する付加時間を設け、所定の基本時間に加算してもよい。
【００３６】
このように、現時点のディスプレイ４０に表示されている文字数が増えるに連れて、省電力モードへの切り替えを遅くすれば、ディスプレイ４０の省電力化を図りつつ、ユーザの使いやすさを確保することができる。
次に、図５のディスプレイ４０に現在表示される画面情報は検索画面に関するものである。そして、この「検索画面」の文字とは別に、計１６文字の文字表示６１ａが示され、さらに、１行分の入力欄６２及び送信用のボタン６３が示されている。
【００３７】
よって、時間設定部２５は、基本時間（１０秒間）に、文字数に関する付加時間（１．６秒間＝１６×０．１）と、入力欄に関する付加時間（１０秒間）とを設けており、上記ステップＳ１０４及びステップＳ１０６にて、計２１．６秒間の表示切替時間を設定する。
また、入力監視部２３が入力欄６２への操作を検出していても、例えば、送信用のボタン６３が選択されるまでは、上記ステップＳ１２２で説明したように、時間設定部２５は、時間計時部２６で計時中の表示切替時間に対して入力確定に関する付加時間（１０秒間）を付与している。
【００３８】
このように、現時点のディスプレイ４０に表示される画面情報への入力には、操作時間が必要になるため、入力監視部２３が入力欄６２を検出した場合や、入力欄６２への入力確定を検出しない場合に、省電力モードへの切り替えを遅くすれば、ユーザは入力を完了できる。
なお、この送信用のボタン６３が選択されたら、上記ステップＳ１２０で示したように、時間設定部２５は、時間計時部２６で計時中の表示切替時間とは無関係に、表示切替時間を残り１０秒間に設定する。
【００３９】
続いて、図６のディスプレイ４０に現在表示される画面情報では、「操作方法」の文字とは別に、計５３文字の文字表示６１が示され、さらに、例えば、１７秒間の再生時間を有した動画表示６４が示されている。
時間設定部２５は、上記ステップＳ１０４の文字表示６１による表示切替時間（１５．３秒間）と、上記ステップＳ１０８の動画表示６４の再生時間（１７秒間）とを比較する。そして、この場合には、取得した動画表示６４の再生時間が文字表示６１による表示切替時間よりも長いことから、時間設定部２５は、上記ステップＳ１１０にて、計１７秒間の表示切替時間を新たに設定する。
【００４０】
このように、動画表示６４には、再生時間が必要になるので、動画表示検出部２４が動画の長い再生時間を検出した場合に、省電力モードへの切り替えを遅くすれば、ユーザは動画内容を理解できる。
なお、この場合の表示制御部２１は、ローカルディミング技術を用い、文字表示６１、或いは、動画表示６４のいずれかの領域を省電力の対象にすることも可能である。
【００４１】
さらに、図７（Ａ）のディスプレイ４０に表示されている画面情報では、「操作方法」の文字とは別に、計６２文字の文字表示６１ｂが示され、上下方向のスクロールバー６５も示されている。スクロールバー６５の長さが、ディスプレイ４０の上下方向長さの半分程度で形成され、このスクロールバー６５がディスプレイ４０の上端に位置している。そして、図７（Ｂ）のディスプレイ４０に表示されている画面情報では、スクロールバー６５がディスプレイ４０の下端に位置し、その文字表示６１ｂには、続きの計２０文字が存在している。
【００４２】
つまり、ユーザが図７の各画面情報を理解するには、図７（Ａ）の文字数に加え、図７（Ｂ）で初出の文字数に関する時間が必要になると考えられる。
そこで、時間設定部２５は、図７（Ａ）の画面情報に対する表示切替時間として、基本時間（１０秒間）に、図７（Ａ）の文字数に関する付加時間（６．２秒間＝６２×０．１）を加算した１６．２秒間を上記ステップＳ１０４にて設定できる。
【００４３】
そして、時間計時部２６は、この図７（Ａ）の画面情報が表示されたときには計１６．２秒間の表示切替時間の計測を開始し、スクロールバー６５による画面情報への操作がなく、設定した表示切替時間が経過すれば、ディスプレイ４０は省電力モードに移行する。
一方、スクロールバー６５による画面情報への操作によって、図７（Ｂ）の画面情報が表示されたときには、情報量検出部２２は、続きの計２０の文字数を検出し、時間計時部２６は、この図７（Ｂ）の画面情報に対する表示切替時間として、基本時間（１０秒間）に、図７（Ｂ）の文字数に関する付加時間（２．０秒間＝２０×０．１）を加算した１２．０秒間を上記ステップＳ１０４にて設定できる。
【００４４】
そして、時間計時部２６は、この図７の（Ｂ）の画面情報が表示されたときには計１２．０秒間の表示切替時間の計測を開始し、スクロールバー６５による画面情報への操作がなく、設定した表示切替時間が経過すれば、ディスプレイ４０は省電力モードに移行する。
なお、仮に、スクロールバー６５がディスプレイ４０の上端と下端との間に位置した場合には、ディスプレイ４０に現在表示された初出の文字数に応じて表示切替時間を設定できる。一方、図７（Ｂ）の画面情報が表示されたとき、時間計時部２６は、図７（Ｂ）の画面情報に対する表示切替時間として、基本時間（１０秒間）に、図７（Ｂ）の現時点の画面情報に記載された計３４の文字数に関する付加時間（３．４秒間＝３４×０．１）を加算した１３．４秒間を上記ステップＳ１０４にて設定してもよい。
【００４５】
次に、図８（Ａ）のディスプレイ４０に表示されている画面情報では、「操作方法」の文字とは別に、図７（Ａ）と同様の計６２文字の文字表示６１ｂが示され、次画面用のボタン６６も示されている。また、図８（Ｂ）のディスプレイ４０に表示されている画面情報では、計２０文字の文字表示６１ｂと、前画面用のボタン６７も示されている。
つまり、ユーザが図８の画面情報をそれぞれ理解するには、図８（Ａ）の文字数と、図８（Ｂ）で初出の文字数とに関する時間が必要になると考えられる。
【００４６】
そこで、時間設定部２５は、図８（Ａ）の画面情報に対する表示切替時間（基本時間１０秒間に図８（Ａ）の文字数に関する付加時間６．２秒間を加算した１６．２秒間）と、図８（Ｂ）の画面情報に対する表示切替時間（基本時間１０秒間に図８（Ｂ）の文字数に関する付加時間２．０秒間を加算した１２．０秒間）とをそれぞれ設け、時間計時部２６は、図８（Ａ）の画面情報が表示されたときには計１６．２秒間の表示切替時間の計測を開始し、図８の（Ｂ）の画面情報が表示されたときには計１２．０秒間の表示切替時間の計測を開始する。この場合には、各ボタン６６，６７による各画面情報への操作がなく、設定した各表示切替時間が経過した場合、ディスプレイ４０は省電力モードに移行する。
【００４７】
なお、上記実施例では、時間設定部が表示切替時間を短時間で延長する場合について説明した。しかし、時間の経過とは無関係にすれば、ユーザは入力を確実に完了できる。そこで、システム制御部３は、入力監視部２で入力欄への入力確定を検出しない場合に、例えば、無限の表示切替時間を設定するような、通常モードから省電力モードへの切り替えを禁止してもよい。
【００４８】
そして、この禁止状態は、入力監視部２３が、ディスプレイ４０への操作を検出する（ステップＳ１１４のＹＥＳ）まで、若しくは、入力欄への入力確定を検出する（ステップＳ１１８のＹＥＳ）まで有効にすることも可能である。
また、バックライトを備えないＥＬ（エレクトロルミネッセンス）自体の点灯輝度を暗くすれば省電力モードに移行できる。このため、上記実施例では、液晶のディスプレイ４０を例示しているが、ＥＬのディスプレイ等にも適用できる。
【００４９】
さらに、上記実施例では、表示制御装置を画像形成装置１に具現化した例で説明したが、本発明は、情報を表示する画面を有する限り、携帯電話やカメラなどの電子機器にも適用可能である。そして、これらいずれの場合にも上記と同様に、様々な情報を表示する画面の実状に適応させ、画面の省電力化とユーザの使いやすさとの両立を図ることができる。
【符号の説明】
【００５０】
１…画像形成装置、２…画像読み取り部、３…システム制御部、４…操作部、５…印字部、１０…画像処理部、２０…制御部、２１…表示制御部、２２…情報量検出部、２３…入力監視部、２４…動画表示検出部、２５…時間設定部、２６…時間計時部、２７…バックライト制御部、３０…記憶部、３１…表示フォーマット、３２…表示情報、３３…動画情報、４０…画面、４１…タッチパネル、４２…操作キー、６１，６１ａ，６１ｂ…文字表示、６２…入力欄、６３…送信用のボタン、６４…動画表示、６５…スクロールバー、６６…次画面用のボタン、６７…前画面用のボタン。
【図１】
2013125111.tif 000003
【図２】
2013125111.tif 000004
【図３】
2013125111.tif 000005
【図４】
2013125111.tif 000006
【図５】
2013125111.tif 000007
【図６】
2013125111.tif 000008
【図７】
2013125111.tif 000009
【図８】
2013125111.tif 000010